(57)【要約】【課題】記憶されているデータの改ざんを防止できるとともに設置姿勢の自由度の高い印刷装置を提供する。【解決手段】少なくとも、用紙に会計情報を含む情報を印刷する印刷部７０を収容する第１筐体２００を有する印刷装置本体部１８０と、少なくとも、前記情報の少なくとも一部を不揮発的に記憶するメモリー回路８０および前記印刷装置本体部１８０を制御する制御回路７８を収容する第２筐体３１を有するコントロール部３００とを備え、前記印刷装置本体部１８０と前記コントロール部３００とは、着脱可能に接続され、前記コントロール部３００は、設置面Ｍ，Ｎに固定される固定部４５を有していることを特徴とする印刷装置。【選択図】図４
2011156844.tif 000002
【特許請求の範囲】
【請求項１】
少なくとも、用紙に会計情報を含む情報を印刷する印刷部を収容する第１筐体を有する印刷装置本体部と、
少なくとも、前記情報の少なくとも一部を不揮発的に記憶するメモリー回路および前記印刷装置本体部を制御する制御回路を収容する第２筐体を有するコントロール部と、を備え、
前記印刷装置本体部と前記コントロール部とは、着脱可能に接続され、前記コントロール部は、設置面に固定される固定部を有していることを特徴とする印刷装置。
【請求項２】
前記コントロール部は、前記固定部を介して第１固着部品により前記設置面に固定されることを特徴とする請求項１に記載の印刷装置。
【請求項３】
前記印刷装置本体部と前記コントロール部とは、前記第１筐体と前記第２筐体との一部が積層状態で配置され、
前記コントロール部は、前記印刷装置本体部を制御する信号および前記情報を伝達する接続端子が前記印刷装置本体部側の前記第２筐体の面に設けられ、
前記印刷装置本体部は、前記接続端子と接続される受け端子が前記コントロール部側の前記第１筐体の面に設けられていることを特徴とする請求項１または２に記載の印刷装置。
【請求項４】
前記印刷装置本体部と前記コントロール部とは、前記接続端子および前記受け端子以外に第２固着部品により固定されることを特徴とする請求項１乃至３のいずれか一項に記載の印刷装置。
【請求項５】
前記印刷装置本体部と前記コントロール部とが、前記第２固着部品により固定されると、少なくとも前記固定部の一部は、前記印刷装置本体部により覆われることを特徴とする請求項４に記載の印刷装置。
【発明の詳細な説明】
【技術分野】
【０００１】
本発明は、会計処理に伴うデータを記憶するデータ記憶部を備えた印刷装置に関する。
【背景技術】
【０００２】
販売、物流、商流の業界においては、会計情報を処理する各種システム（ＰＯＳシステム等）が用いられている。このようなシステムにおいて、会計情報を記録して発行するために印刷装置としてのプリンターが用いられる。この種のプリンターとして、フィスカルプリンターと呼ばれるものがある。フィスカルプリンターは、会計情報を記録して発行するプリンター本体部と記録した会計情報を記憶するデータ記憶部とを備えている。
【０００３】
このデータ記憶部に記憶されるデータは、例えば、徴税を確実なものとするために用いられる。そのため、データ記憶部は、会計情報に基づくデータが改ざんできないような構造であることが望まれる。データの改ざんを目的とした外部からの機械的アクセスを防止するために、データを記憶するメモリー（ＲＯＭ）等の電子部品を実装した基板を、接続端子部分のみを露出させ、その他の部分を密閉状態で筐体に収納している。
【０００４】
近年、法律（フィスカル法：例えば、ブラジルのＣｏｎｖｅｎｔｉｏｎｓ法）より、データ記憶部とプリンターの駆動回路や制御回路とを１つの筐体に収容することが求められている。このデータ記憶部とプリンターの駆動回路等とから構成されるコントロール部は、プリンター本体部に１つの接続端子により接続されている（例えば、特許文献１参照）。また、ＰＯＳシステムに用いられるプリンターとして、設置場所や使用状況に応じて設置する態様を横置き（横配置）または縦置き（縦配置）に選択可能なものが知られている（例えば、特許文献２参照）。
【先行技術文献】
【特許文献】
【０００５】
【特許文献１】国際公開第ＷＯ２００７／１０２１２１Ａ２号パンフレット
【特許文献２】特開２００１−１７１８６６号公報
【発明の概要】
【発明が解決しようとする課題】
【０００６】
上述のデータ記憶部を内包しているコントロール部は、会計情報等のデータの改ざんを防止するため、構造や取り扱いが厳しく規制されている。しかし、許可されずにコントロール部を印刷装置本体部から取り外し、異なる場所に移動させデータの改ざんを行うことが想定される。また、クリーニング等のメンテナンス、ヘッド交換等の部品交換や寿命による印刷装置本体部の交換等を装い、異なる場所に移動させる場合も想定される。
【０００７】
また、上述の印刷装置を縦配置、例えば壁掛け状態で使用する場合は、別途壁掛け用の部品が必要となり、コストアップの要因ともなる。
【課題を解決するための手段】
【０００８】
本発明は、上述の課題の少なくとも一部を解決するためになされたものであり、以下の形態または適用例として実現することが可能である。
【０００９】
（適用例１）少なくとも、用紙に会計情報を含む情報を印刷する印刷部を収容する第１筐体を有する印刷装置本体部と、少なくとも、前記情報の少なくとも一部を不揮発的に記憶するメモリー回路および前記印刷装置本体部を制御する制御回路を収容する第２筐体を有するコントロール部と、を備え、前記印刷装置本体部と前記コントロール部とは、着脱可能に接続され、前記コントロール部は、設置面に固定される固定部を有していることを特徴とする印刷装置。
【００１０】
この構成によれば、印刷装置は、コントロール部が設置面に固定され、固定されたコントロール部に対して、印刷装置本体部が着脱可能に接続される。そのため、クリーニング等のメンテナンスや故障による部品もしくは印刷装置本体部の交換に際して、コントロール部を移動させず印刷装置本体部のみを取り外して必要な作業を行うことができる。また、壁掛け状態で使用したい場合は、コントロール部を壁面に固定し、印刷装置本体部を壁面に固定されたコントロール部に接続する。その結果、専用部品を使用しなくても印刷装置の設置姿勢の自由度を増すことができる。
【００１１】
（適用例２）前記コントロール部は、前記固定部を介して第１固着部品により前記設置面に固定されることを特徴とする上記の印刷装置。
【００１２】
この構成によれば、コントロール部を設置面に確実に固定することができる。なお、第１固着部品としては、締結部品であるネジやロック機構等の容易に外れないものを意図している。
【００１３】
（適用例３）前記印刷装置本体部と前記コントロール部とは、前記第１筐体と前記第２筐体との一部が積層状態で配置され、前記コントロール部は、前記印刷装置本体部を制御する信号および前記情報を伝達する接続端子が前記印刷装置本体部側の前記第２筐体の面に設けられ、前記印刷装置本体部は、前記接続端子と接続される受け端子が前記コントロール部側の前記第１筐体の面に設けられていることを特徴とする上記の印刷装置。
【００１４】
この構成によれば、横配置、縦配置の場合を問わず、印刷装置本体部とコントロール部とを容易に接続することができる。
【００１５】
（適用例４）前記印刷装置本体部と前記コントロール部とは、前記接続端子および前記受け端子以外に第２固着部品により固定されることを特徴とする上記の印刷装置。
【００１６】
この構成によれば、印刷装置本体部とコントロール部とは、確実に接続される。
【００１７】
（適用例５）前記印刷装置本体部と前記コントロール部とが、前記第２固着部品により固定されると、少なくとも前記固定部の一部は、前記印刷装置本体部により覆われることを特徴とする上記の印刷装置。
【００１８】
この構成によれば、固定部が印刷装置本体部により覆われて隠れるので、外部からアクセスすることができない。
【図面の簡単な説明】
【００１９】
【図１】サーマルプリンターの外観構成を示す斜視図。
【図２】カバーフレームが開いた状態のプリンター機構部の斜視図。
【図３】カバーフレームが閉じた状態のプリンター機構部の斜視図。
【図４】サーマルプリンターの概略側断面図。
【図５】サーマルヘッドの外観斜視図。
【図６】サーマルプリンターの構成を示すブロック図。
【図７】コントロール部の外観を示す図。
【図８】第２実施例のサーマルプリンターの形態を示す斜視図。
【発明を実施するための形態】
【００２０】
以下、本実施形態を、図面を参照して説明する。なお、以下の説明で参照する図面では、説明および図示の便宜上、部材ないし部分の縦横の縮尺を実際のものとは異なるように表す場合がある。
【００２１】
（印刷装置の全体構成について）
本実施形態の印刷装置として、横配置状態のサーマルプリンターを例にとり図１〜４を参照して説明する。図１は、サーマルプリンターの外観構成を示す斜視図である。図２および図３は、プリンター機構部の外観を示す斜視図であり、詳しくは、図２は、カバーフレームが開いた状態のプリンター機構部の斜視図であり、図３は、カバーフレームが閉じた状態のプリンター機構部の斜視図である。図４は、サーマルプリンターの側断面図である。
【００２２】
このサーマルプリンターは、フィスカルプリンターとして用いられ、レシート等に会計情報を印刷して発行することや、この会計情報をデータとして記憶することに適用される。サーマルプリンターは、記録用紙としてロール状の感熱紙を使用して、この感熱紙に会計情報を印刷して発行する。また、会計情報の中の、例えば税金に関する情報をフィスカルデータとしてフィスカルメモリーに記憶する。なお、このサーマルプリンターは、図１に示す横配置を基本姿勢とし、設置状況や使用目的に応じて縦配置に選択可能なものである。例えば、スペース効率向上その他を目的に、縦置き、壁掛け等の縦配置で使用することも可能である。なお、図１〜図４に示すＸ方向は、横配置における印刷される感熱紙の幅方向を示し、Ｚ方向は、印刷ヘッドとしてのサーマルヘッド部での感熱紙の紙送り方向を示し、Ｙ方向は、Ｘ方向およびＺ方向と直交する方向を示す。
【００２３】
図４に示すように、サーマルプリンター１００は、印刷装置本体部としてのプリンター本体部１８０とコントロール部３００とから構成される。プリンター本体部１８０は、プリンター機構部１５０と、第１筐体としての外装ケース２００とから構成される。後述するコントロール部３００は、プリンター本体部１８０に装着可能に接続される。
【００２４】
図２〜４に示すプリンター機構部１５０は、図１に示す外装ケース２００に収容される。詳しくは、プリンター機構部１５０は、樹脂等からなる下ケース２０５の上部に固定され、側面部および後方部は、上ケース２１０に覆われており、そのＹ方向の前方部分は、パネル２１５により覆われている。プリンター機構部１５０の上面は上部カバー２２０に覆われている。後述するコントロール部３００は、外装ケース２００のＺ方向下部に配置される。詳しくは下ケース２０５にネジ４７によって固定されてもよい。なお、この固定方法については後述する。
【００２５】
図１に示すように、上ケース２１０の上面のＸ方向の一方の側には、オープンボタン２３０が設けられている。オープンボタン２３０は、図１中矢印Ｂ方向に押し下げられることによって、図３に示すプリンター機構部１５０に設けられたカバーオープンレバー２３５を、支点２４０を中心に回転させることができる。カバーオープンレバー２３５は、図２に示すカバーフレーム１２のロック機構と係合しており、時計方向に回転されることにより、ロック機構が解除される。さらに、カバーフレーム１２は、上部カバー２２０と結合されている。そのため、上部カバー２２０が矢印Ｃ方向に開き、ロール紙ホルダー１６が露出する。すなわち、この状態が、図２に示すプリンター機構部１５０のカバーフレーム１２が開いた状態である。このようにすることにより、ロール状の感熱紙Ｓのセットもしくは取り出しができる。
【００２６】
なお、本実施形態で使用する感熱紙Ｓは、発色剤がバインダー等により保持されている発色層からなる印刷面を有し、この印刷面を外面に順次積層され構成されているロール状の感熱紙Ｓである。以降、このロール状の感熱紙をロール紙Ｒと呼ぶ。
【００２７】
（プリンター機構部の全体構成について）
ここで、プリンター機構部の詳細を図２〜５を参照して説明する。図５はサーマルヘッドの外観斜視図である。なお、図５に示すＸ方向およびＺ方向は、図１〜４に示すＸ方向およびＺ方向と同一方向である。図２〜４に示すように、プリンター機構部１５０は、本体フレーム６０と、カバーフレーム１２と、ロール紙ホルダー１６と、カッター部２０と、印刷部７０と、を備えている。
【００２８】
図２に示すように、本体フレーム６０は、板金等からなり、Ｚ方向上方およびＹ方向前方に開口を有する略箱型に形成されている。カバーフレーム１２は、本体フレーム６０の上部後方に設けられている。カバーフレーム１２は、本体フレーム６０の後部両側の上端部に設けられた支軸６８を中心として開閉自在に取り付けられている。カバーフレーム１２には、カバーフレーム１２を閉じた際にロール紙Ｒとの接触を避けるための円弧状の覆い１５が設けられている。また、サーマルプリンター１００の設置角度を変える場合、すなわち、例えば縦置きにする場合、この覆い１５は、ロール紙Ｒを受ける保持部材としても機能する。
【００２９】
図２に示すように、ロール紙ホルダー１６は、本体フレーム６０の箱状に形成された内部の後方に、上記カバーフレーム１２に覆われて設けられている。ロール紙ホルダー１６は、樹脂等により形成され、中央部にロール紙Ｒの最大径に相当する略円弧状のくぼみを有し、本体フレーム６０の底部に、円弧状のくぼみの側面開口が本体フレーム６０の両側面側に向くように取り付けられている。本体フレーム６０の内側の両側面部分は、ロール紙Ｒの側面ガイド部として機能する。そのため、ロール紙Ｒは、側面を本体フレーム６０の内側の両側面部分に幅方向の動きを規制され、ロール紙ホルダー１６の略円弧状のくぼみに回転自在に保持される。また、ロール紙ホルダー１６には、ロール紙Ｒの残量を検出する図示しないロール紙ニアエンドセンサーが設けられている。
【００３０】
（カッター部について）
図４に示すように、カッター部２０は、本体フレーム６０の前方すなわちカバーフレーム１２の支軸６８とは相対する位置であって紙出口Ｇの近傍に設けられている。カッター部２０は、可動刃２１とその駆動手段２２と固定刃２７とを備えている。可動刃２１とその駆動手段２２とは、第１カッターカバー２４内に収容され本体フレーム６０側に配置されている。可動刃２１は、駆動手段２２により図中矢印Ｅ方向に往復移動する。固定刃２７は、第２カッターカバー２９内に収容されカバーフレーム１２側、すなわち、感熱紙Ｓが通過する搬送経路を挟んで対向する側に配置されている。そのため、カバーフレーム１２を閉じた状態では、駆動手段２２により往復移動される可動刃２１の刃部と固定刃２７の刃部とが当接状態で摺動する。このことによって、感熱紙Ｓは紙出口Ｇ近傍で切断される。
【００３１】
（印刷部について）
図４に示すように、印刷部７０は、ロール紙ホルダー１６を始点として、カッター部２０の紙出口Ｇを終点とする感熱紙Ｓの搬送経路Ｄ上の出口近傍に設けられている。印刷部７０は、サーマルヘッド１０とヘッド保持機構７７とプラテン７１とを有している。なお、サーマルヘッド１０とヘッド保持機構７７とは本体フレーム６０側に、プラテン７１はカバーフレーム１２側に分離可能な状態で配設されている。
【００３２】
図５に示すように、サーマルヘッド１０は、放熱板１０６とヘッド支持軸１０２と基板としてのヘッド基板１１０とドライバーＩＣ１２０とＦＰＣ１０８とを有している。ヘッド基板１１０は、長矩形形状を呈しており、複数の発熱素子１４５からなる発熱素子列１４５ａが長手方向に沿って図中Ｚ方向上方に形成されている。また、発熱素子列１４５ａと平行して、発熱素子１４５を駆動する複数のドライバーＩＣ１２０が配設されている。放熱板１０６は、アルミニウム等の引き抜き材で形成され、ヘッド基板１１０が放熱板１０６の係止面１０６ａに両面粘着テープ等で貼り付けられている。
【００３３】
放熱板１０６のヘッド基板１１０のＺ方向上方には、案内斜面部１０４が放熱板１０６の長手方向にわたって形成されている。この案内斜面部１０４は、図４に示すカバーフレーム１２を閉じる際に、プラテン７１を滑動させて所定の位置まで案内する。この際、案内斜面部１０４の傾斜は、プラテン７１がヘッド基板１１０と衝突しないような所定の角度を有している。また、案内斜面部１０４の斜面は、この案内斜面部１０４に近接して付設されたヘッド基板１１０と略同じ高さになるように設定されている。ヘッド支持軸１０２は円柱状の丸ピンであり、放熱板１０６の左右の側面部に設けられた穴部に圧入されている。
【００３４】
ＦＰＣ１０８は、一端をヘッド基板１１０に設けられた図示しない接続端子に接続され、他端は図４に示すコネクター９１に接続されている。なお、このコネクター９１は、コントロール部３００と内部接続端子４３を介して接続する機能を有し、プリンター本体部１８０の配線等が集約されている。
【００３５】
図４に示すヘッド保持機構７７は、本体フレーム６０に形成された溝部としての切り欠き部６２とヘッド押圧板７２とヘッド押圧板７２に取り付けられるバネ７５とから構成されている。切り欠き部６２は、本体フレーム６０の上方に開口を有するとともに複数の溝部が形成されている。サーマルヘッド１０は、ヘッド支持軸１０２が本体フレーム６０の切り欠き部６２の一部に挿入されることによって、本体フレーム６０に取り付けられる。ヘッド押圧板７２は、上下に曲げ部が形成され、圧縮コイルバネであるバネ７５が固定されている。このヘッド押圧板７２は、切り欠き部６２に挿入され、曲げ部がそれぞれ切り欠き部６２の一部に係合することによって本体フレーム６０に取り付けられる。
【００３６】
このようにすることによって、サーマルヘッド１０とヘッド押圧板７２とは、切り欠き部６２の両側に、互いに略平行状態で支持される。ヘッド押圧板７２に固定されるバネ７５は、サーマルヘッド１０の背面に当接する。このバネ７５によりサーマルヘッド１０はプラテン７１方向に付勢される。このヘッド保持機構７７は、ヘッド押圧板７２に固定されたバネ７５をサーマルヘッド１０の背面からずらすことによって、切り欠き部６２から取り外すことができる。サーマルヘッド１０もバネ７５からの付勢力がなくなることによって、切り欠き部６２から取り外すことができる。このようにして、サーマルヘッド１０は本体フレーム６０に対して、着脱可能に支持される。
【００３７】
図２および図４に示すように、プラテン７１は、ゴム等の弾性部材により円筒形のローラー状に形成され、プラテン軸受７３を介してカバーフレーム１２に回転可能に支持されている。プラテン７１の一方の軸には、プラテン歯車７４が圧入されている。本体フレーム６０には、溝部６４が設けられており、カバーフレーム１２を閉じると、プラテン７１が、サーマルヘッド１０の案内斜面部１０４（図５参照）に案内された後、プラテン軸受７３が溝部６４と当接する。さらに、サーマルヘッド１０によるプラテン７１への加圧力で、カバーフレーム１２には下向きの力が作用し、プラテン７１の位置が定められる。
【００３８】
以上の構成により、図４に示すように、プラテン７１は、感熱紙Ｓの内面Ｓ２の側から感熱紙Ｓをサーマルヘッド１０の方向に押圧し、プラテン７１と対向するサーマルヘッド１０は、感熱紙Ｓの外面Ｓ１の側から感熱紙Ｓをプラテン７１の方向に押圧して、感熱紙Ｓを挟持する。なお、このとき感熱紙Ｓの外面Ｓ１の表面に、前述の発色層が形成されている。また、図２に示すように、本体フレーム６０の側面には、プラテン７１を回転駆動させるための紙送りモーター６６と紙送り伝達歯車６７とが設けられている。上述のように、プラテン７１が本体フレーム６０の溝部６４に位置決めされることによって、プラテン歯車７４と紙送り伝達歯車６７とが噛み合い、紙送りモーター６６からの動力がプラテン７１へ伝達される。
【００３９】
上述の構成を有するサーマルプリンター１００は、上部カバー２２０と連結するカバーフレーム１２を開き感熱紙Ｓからなるロール紙Ｒをセットして、感熱紙Ｓを紙出口Ｇまで引き出し、上部カバー２２０と連結するカバーフレーム１２を閉じることによって、感熱紙Ｓはプラテン７１とサーマルヘッド１０との間、および可動刃２１と固定刃２７との間にセットされる。そして、紙送りモーター６６を起動しプラテン７１を回転させて感熱紙Ｓを送りながら、サーマルヘッド１０の直線状に配置された発熱素子１４５を選択的に通電して発熱させることによって、感熱紙Ｓに所定の情報を印刷することができる。また、カッター部２０を駆動して固定刃２７に対して可動刃２１を往復移動させることにより、情報が印刷された感熱紙Ｓを所定の長さに切断してレシート等の単票として発行することができる。
【００４０】
（コントロール部について）
ここで、コントロール部について、図６および図７を参照して説明する。図６は、サーマルプリンターの構成を示すブロック図である。図７は、コントロール部の外観を示す図であり、詳しくは外部接続端子側から上面を見た斜視図である。なお、図７に示すＸ方向、Ｙ方向およびＺ方向は、図１〜４に示すＸ方向、Ｙ方向およびＺ方向と同一方向である。
【００４１】
本実施形態におけるコントロール部３００は、上述のサーマルプリンター１００の駆動回路や会計情報をデータとして記憶するフィスカルメモリー等の電子部品が実装された基板を有している。サーマルプリンター１００（フィスカルプリンターともいう）は、販売等の商取引に際し顧客に渡すレシートや、業者用にレシートの内訳、売り上げの合計金額および商品品目ごとの合計金額等の会計情報を記録したジャーナルを個別に印刷して発行する。なお、サーマルプリンター１００は、駆動回路によって駆動制御される。
【００４２】
フィスカルメモリーは、これらの会計情報のうち税金に関する情報（以降、フィスカルデータという）を記憶する。このフィスカルデータは、例えば、徴税を確実なものとするために用いられ、必要に応じ政府の調査官がフィスカルデータを読み出し調査する。フィスカルメモリーに記憶されるフィスカルデータは改ざんできないようにする必要がある。そのため、コントロール部３００の仕様や取り扱いに関しては、法律（フィスカル法）で厳しく規制されている。このフィスカル法の内容やフィスカルデータの定義はそれぞれの国によって異なっている。
【００４３】
まず、コントロール部３００の構成について、コントロール部およびプリンター本体部の構成を示すブロック図である図６を参照して説明する。図６に示すように、コントロール部３００は、プリンター制御部７８とメモリー回路を含むフィスカルデータ処理部８０と外部接続端子４２と接続端子としての内部接続端子４３とから構成されている。プリンター制御部７８とフィスカルデータ処理部８０と外部接続端子４２と内部接続端子４３とはメイン基板３２に実装される。プリンター制御部７８は、プリンター制御用ＣＰＵ（Central Processing Unit）７９と、図示しない情報処理部と、サーマルヘッドや各種モーターを駆動する図示しないドライバー等を備えている。プリンター制御用ＣＰＵ７９は、図示しない操作系や検出系からの入力信号処理、印刷処理等の各種処理を実行し、プリンター本体部１８０（サーマルプリンター１００）を統括制御する。
【００４４】
フィスカルデータ処理部８０は、フィスカルメモリー８１と、ＥＪ（Electronic Journal）メモリー８２と、フィスカル制御部８３と、プロテクト回路８４と、ＲＴＣ（Real Time Clock）８７と、ＳＲＡＭ（Static Random Access Memory）８８と、バッテリー８９とを備える。フィスカルメモリー８１は、ワンタイムＲＯＭ（Read Only Memory）と呼ばれる１つのアドレスに１度しか書き込みできないタイプの不揮発性のメモリーを使用し、売り上げの集計値等の税金に関するフィスカルデータを記憶する。ＥＪメモリー８２は、電子ジャーナルメモリーであり、ＮＡＮＤ型フラッシュメモリー等の不揮発性記憶素子が適用され個々の売り上げデータ等を記憶する。
【００４５】
フィスカル制御部８３は、フィスカル制御用ＣＰＵ８５とプログラマブルＲＯＭ８６とを備える。フィスカル制御用ＣＰＵ８５は、フィスカルデータ処理部８０を統括制御し、会計情報等のデータを処理する。プログラマブルＲＯＭ８６は、プログラム可能な論理回路を書き込んだデバイスであり、フィスカルメモリー８１への書き込みや読み出しその他を制御する。プロテクト回路８４は、フィスカルメモリー８１やＥＪメモリー８２に記憶されるデータへの不正アクセスや改ざんの防止の機能を持っている。
【００４６】
ＲＴＣ８７は、リアルタイムクロックであり、年月日時間をカウントするＩＣである。ＳＲＡＭ８８は、ワーキングメモリーとして機能してフィスカルデータ等の各種データを一時的に格納したり、フィスカル制御用ＣＰＵ８５によって実行されるデータ処理等のプログラムを一時的に展開したりする。また、ＳＲＡＭ８８は、バッテリーバックアップ機能を有しており、バッテリー８９を電源としている。また、バッテリー８９は、ＲＴＣ８７にも電気を供給し、メイン電源が遮断された状態でも時間をカウントしている。
【００４７】
外部接続端子４２は、複数のポートを有しており、ホストコンピューター９０と、プリンター制御部７８およびフィスカルデータ処理部８０とを接続し、ホストコンピューター９０とコマンドやデータの送受信を行う。また、外部接続端子４２は、フィスカルポートを有しており、政府の調査官がフィスカルメモリー８１のフィスカルデータを読み出すときのみに使われる。
【００４８】
内部接続端子４３は、１つのコネクターで構成され、プリンター本体部１８０に設けられたコネクター９１と、プリンター制御部７８およびフィスカルデータ処理部８０とを接続し、印刷データや各種機構への駆動信号を送信する。なお、内部接続端子４３には図示しない電子スイッチが内包されている。電子スイッチは、コントロール部３００がプリンター本体部１８０から取り外されたことを電気的に検知して、信号をＲＴＣ８７に送る。ＲＴＣ８７は、信号を受信した時間を求め、その結果をフィスカルメモリー８１もしくはＥＪメモリー８２のいずれかのメモリーに送り記憶させる。
【００４９】
プリンター本体部１８０のコネクター９１には、カッター部２０の駆動源であるモーターの配線、印刷部７０のサーマルヘッド１０のＦＰＣ１０８や上述の各種センサー等の信号線が集約され接続されている。各種センサーの信号は、コネクター９１および内部接続端子４３を介して、コントロール部３００のプリンター制御用ＣＰＵ７９に送られる。プリンター制御用ＣＰＵ７９では、プリンター本体部１８０に送られた印刷データが確実に印刷されたか否かを判定して、印刷されていない場合は再印刷の指示をだす。この結果は、フィスカルデータ処理部８０に送られ、フィスカルメモリー８１もしくはＥＪメモリー８２のいずれかのメモリーに記憶される。
【００５０】
図７に示すように、コントロール部３００は、略長方形の箱状の第２筐体としての本体ケース３１を備え、上述のメイン基板３２が本体ケース３１にほぼ密閉状態で収容される。そして、本体ケース３１の１つの側面３１ａには、上述の外部接続端子４２が設けられている。また、本体ケース３１の上面３１ｂには、上述の内部接続端子４３が上面３１ｂから突出するように設けられている。
【００５１】
また、本体ケース３１の上記上面３１ｂと対向する下面３１ｃの４隅には、図中Ｘ方向に沿って外側に延びるように四角の板状の固定部４５がそれぞれ設けられている。それぞれの固定部４５には、板状の面の略中央を貫通するように穴部４５ａが形成されている。また、固定部４５が図中Ｚ方向下部に形成されている２つの側面３１ｄと側面３１ｅには、Ｚ方向の略中央位置にＹ方向に所定の間隔を隔ててネジ山が形成されたネジ穴４６が２つ設けられている。
【００５２】
なお、コントロール部３００は、本体ケース３１が容易に分解できない構造であること、また、許可なく分解したときはその履歴が残ることが、法律（フィスカル法）によって要求されている。本実施形態では特に限定しないが、本体ケース３１は、例えば、特殊工具、不可逆構造のフックやシール材や接着材で組み立てることが好ましい。
【００５３】
上述の構成を有するサーマルプリンター１００は、ホストコンピューター９０を介して送られるコマンドと会計情報を含む印刷データを、コントロール部３００のプリンター制御部７８で処理してプリンター本体部１８０で感熱紙Ｓに印刷してレシートとして発行する。また、コントロール部３００は、印刷データをフィスカルデータ処理部８０で処理して印刷データの中から必要データを抜き出し、ＥＪメモリー８２に順次記憶させる。ＥＪメモリー８２には、レシートごとにこのようなデータが蓄積される。さらには、印刷データやＳＲＡＭ８８に一時格納されたデータの中から、税金に関係するフィスカルデータを選択してフィスカルメモリー８１に記憶させる。このとき必要に応じ、ＲＴＣ８７による時間情報等も付与される。この選択および処理は、主にプログラマブルＲＯＭ８６に格納されるプログラムを用いフィスカル制御用ＣＰＵ８５で制御される。
【００５４】
法律（フィスカル法）では、フィスカルメモリー８１やＥＪメモリー８２に容易にアクセスできないことと、許可なくアクセスした場合はその履歴が残ることが要求されている。そのため、フィスカルメモリー８１およびＥＪメモリー８２の前段にはプロテクト回路８４が設けられ、例えば、フィスカル制御用ＣＰＵ８５から発せられる許可信号に基づいてのみアクセスが許可される。フィスカルデータへの不正アクセスや改ざんを目的として、例えば、外部接続端子４２から電気的アクセスを試みる場合は、このプロテクト回路８４によって阻止される。なお、このプロテクト回路８４の仕様については、特に限定しない。マイコンであってもよいし、ＣＰＬＤ（Complex Programmable Logic Device）であってもよい。
【００５５】
政府の調査官が、調査のためにフィスカルメモリー８１のフィスカルデータを読み出すときは、例えば、秘密のＩＤ情報を使用して専用のフィスカルポートを用いる。フィスカル制御用ＣＰＵ８５では、ＩＤ情報を認識してプロテクト回路８４の読み取り許可信号を発してフィスカルメモリー８１へのアクセスを許可する。なお、必要に応じＥＪメモリー８２へのアクセスも許可する。なお、このアクセス履歴は、ＲＴＣ８７による時間情報が付与され、フィスカルメモリー８１に記憶される。
【００５６】
（第１実施例）
まず、横配置状態のサーマルプリンターについて、図１および図４を参照して説明する。図１および図４に示すように、サーマルプリンター１００は、別体であるコントロール部３００とプリンター本体部１８０とがドッキングされ構成される。図４に示すように、コントロール部３００は、例えば、略水平な設置面Ｍに設けられた図示しないネジ穴に対して、固定部４５の穴部４５ａを貫通する第１固着部品としてのネジ４８によってネジ止めされ固定される。そして、プリンター本体部１８０は、コントロール部３００の本体ケース３１の上面３１ｂに設けられた内部接続端子４３に、下ケース２０５の下面に配置された１つのコネクター９１が接続される。そして、プリンター本体部１８０は、図１に示す下ケース２０５の面に形成された図示しない穴部を貫通する第２固着部品としてのネジ４７によってコントロール部３００の側面３１ｄ，３１ｅのネジ穴４６にネジ止めされ固定される。このようにして、サーマルプリンター１００は、設置面Ｍに固定される。
【００５７】
プリンター本体部１８０がコントロール部３００に、ネジ４７によってネジ止めされ固定されると、プリンター本体部１８０の下ケース２０５の部分が、固定部４５の少なくとも一部を覆うように組み込まれる。このため、固定部４５でネジ止めされているネジ４８に外部からアクセスすることができない。このように、固定部４５が設置面Ｍに固定された状態を保つことができる。また、このような場合、固定部４５やネジ４８等は、特殊な部品や組み立て方法を採る必要がない。
【００５８】
サーマルプリンター１００（フィスカルプリンター）は、プリンター本体部１８０とコントロール部３００とが容易に分離できない構造であること、また、許可なく取り外したときはその履歴が残ること等が法律（フィスカル法）で要求されている。そのため、コントロール部３００とプリンター本体部１８０とは容易に分離できないようにロックされることが多い。また、コントロール部３００が容易に移動できないことが望まれる。本実施形態では、ロック構造について特に限定しないが、例えば、ネジ４７が特殊工具を用いてのみ締め付けおよび取り外しができるものとしてもよいし、ネジ４７を締結後に樹脂等で表面を固め刻印してもよい。また、コントロール部３００とプリンター本体部１８０とをワイヤー等で固定し、ワイヤーの接合部にタグを固着してもよい。なお、ネジ４８も、特殊工具を用いてのみ締め付けおよび取り外しができるものとしてもよいし、ネジ４８を締結後に樹脂等で表面を固め刻印してもよい。
【００５９】
以下、本実施形態の効果を記載する。
（１）上述のサーマルプリンター１００は、コントロール部３００を設置面Ｍに容易に取り外せない状態で固定させることができる。そして、プリンター本体部１８０を、コントロール部３００に対して積層状態、すなわち上下方向に接続させ容易に取り外せない状態で固定することができる。そのため、許可なくまたは痕跡を残さずにプリンター本体部１８０をコントロール部３００から取り外すことができない。また、コントロール部３００を許可なくまたは痕跡を残さずに異なる場所に移動させることができない。また、プリンター本体部１８０のメンテナンス、部品交換や本体そのもの交換等の場合は、プリンター本体部１８０のみを取り外せばよい。その結果、コントロール部３００のフィスカルメモリー８１やＥＪメモリー８２に記憶されるフィスカルデータの不正アクセスや改ざんの危険性を低減することができる。
【００６０】
（２）上述のサーマルプリンター１００は、プリンター本体部１８０とコントロール部３００とを積層状態、すなわち上下方向で接続することができる。そのため、接続位置の視認性を向上させることができる。また、水平方向の接続と比較して、接続までの移動距離を短くすることができる。その結果、プリンター本体部１８０とコントロール部３００との接続性を向上させることができる。
【００６１】
（第２実施例）
第２実施例にかかるサーマルプリンター、すなわち縦配置状態のサーマルプリンターを図８を参照して説明する。図８は、第２実施例のサーマルプリンターの形態を示す図である。図８に示すＸ方向、Ｙ方向、Ｚ方向は、図１〜４に示すＸ方向、Ｙ方向、Ｚ方向と同一な方向を示す。なお、第１実施例と共通する構造および部品については、番号を共通とし説明を省略する。
【００６２】
図８に示すように、コントロール部３００は、例えば、略垂直な壁面Ｎに設けられた図示しないネジ穴に対して、固定部４５の穴部４５ａを貫通するネジ４８によって縦方向にネジ止めされ固定される。そして、プリンター本体部１８０は、コントロール部３００の本体ケース３１の上面３１ｂに設けられた内部接続端子４３に、下ケース２０５の下面に配置された図４に示す１つのコネクター９１が接続される。そして、プリンター本体部１８０は、下ケース２０５の面に形成された穴部４９を貫通するネジ４７によってコントロール部３００の側面３１ｄ，３１ｅのネジ穴４６にネジ止めされ固定される。このようにして、サーマルプリンター１００は、壁面Ｎに固定される。
【００６３】
サーマルプリンター１００（フィスカルプリンター）は、プリンター本体部１８０とコントロール部３００とが容易に分離できない構造であること、また、許可なく取り外したときはその履歴が残ること等が法律（フィスカル法）で要求されている。そのため、コントロール部３００とプリンター本体部１８０とは容易に分離できないようにロックされることが多い。また、コントロール部３００が容易に移動できないことが望まれる。本実施形態では、ロック構造について特に限定しないが、例えば、ネジ４７が特殊工具を用いてのみ締め付けおよび取り外しができるものとしてもよいし、ネジ４７を締結後に樹脂等で表面を固め刻印してもよい。また、コントロール部３００とプリンター本体部１８０とをワイヤー等で固定し、ワイヤーの接合部にタグを固着してもよい。
【００６４】
以下、本実施形態の効果を記載する。
（１）上述のサーマルプリンター１００は、コントロール部３００を壁面Ｎに容易に取り外せない状態で固定させ、プリンター本体部１８０をコントロール部３００に対して積層状態、すなわち横方向に接続させ容易に取り外せない状態で固定することができる。そのため、特別な部品を使用することなくサーマルプリンター１００を壁掛け状態に設置することができる。そのため、設置場所や使用状況に応じ設置姿勢を自由に選択できるサーマルプリンターを提供することができる。
【００６５】
（２）上述のサーマルプリンター１００は、プリンター本体部１８０とコントロール部３００とを積層状態、すなわち横方向で接続することができる。そのため、接続位置の視認性を向上させることができるとともに接続までの移動距離を短くすることができる。その結果、プリンター本体部１８０とコントロール部３００との接続性を向上させることができる。
【００６６】
以上、本発明の実施形態について説明したが、上記実施形態に対しては、本発明の趣旨から逸脱しない範囲で様々な変形を加えることができる。例えば上記実施形態以外の変形例は、以下の通りである。
【００６７】
（変形例）上述の実施形態では、コントロール部３００を固着部品の例であるネジ４８を用いて設置面Ｍ，Ｎに固定する場合について説明したがこれに限定されない。例えば、ロック機構付きのフックを用いてもよいし、鍵を用いて固定してもよい。容易に取り外せない構造であれば足りる。また、プリンター本体部１８０を固着部品の例であるネジ４７を用いてコントロール部３００に取り付ける場合について説明したがこれに限定されない。例えば、ロック機構付きのフックを用いてもよい。容易に取り外せず取り外し履歴が残る構造であれば足りる。
【符号の説明】
【００６８】
１０…サーマルヘッド、２０…カッター部、３１…第２筐体としての本体ケース、３２…メイン基板、４２…外部接続端子、４３…接続端子としての内部接続端子、４５…固定部、４７…第２固着部品としてのネジ、４８…第１固着部品としてのネジ、６０…本体フレーム、７８…プリンター制御部、７９…プリンター制御用ＣＰＵ、８０…フィスカルデータ処理部、８１…フィスカルメモリー、８２…ＥＪメモリー、８３…フィスカル制御部、８４…プロテクト回路、８５…フィスカル制御用ＣＰＵ、９０…ホストコンピューター、１００…サーマルプリンター、１５０…プリンター機構部、１８０…プリンター本体部、２００…第１筐体としての外装ケース、３００…コントロール部。
【図１】
2011156844.tif 000003
【図２】
2011156844.tif 000004
【図３】
2011156844.tif 000005
【図４】
2011156844.tif 000006
【図５】
2011156844.tif 000007
【図６】
2011156844.tif 000008
【図７】
2011156844.tif 000009
【図８】
2011156844.tif 000010